(57)【要約】【課題】容器の内容物を安定して計量カップに注ぐことができる計量キャップ付容器を提供すること。【解決手段】注出キャップ３は、容器２内と注出口２４Ａとを連通するノズル筒部２４と、ノズル筒部２４よりもノズル筒部２４の径方向外方に設けられて容器２を傾けて注出姿勢としたときに計量カップ４の外周縁に突き当たって注出姿勢を保持する姿勢保持片２７と、を備える。【選択図】図２
2010126219.tif 000002
【特許請求の範囲】
【請求項１】
内容物を収容する容器と、該容器の口部に装着されて前記内容物を注出する注出口が形成された注出キャップと、該注出キャップに着脱可能に装着されて前記注出口を覆う計量カップと、を備える計量キャップ付容器であって、
前記注出キャップは、前記容器内と前記注出口とを連通するノズル筒部と、該ノズル筒部よりも該ノズル筒部の径方向外方に設けられて前記容器を傾けて注出姿勢としたときに前記計量カップの外周縁に突き当たって該注出姿勢を保持する姿勢保持片と、を備えることを特徴とする計量キャップ付容器。
【請求項２】
前記容器の胴部に把持部が設けられ、
前記ノズル筒部が、前記容器の接地面に直交する容器軸に対して前記把持部の反対側に傾斜して延びる傾斜軸に沿って延設されていることを特徴とする請求項１に記載の計量キャップ付容器。
【請求項３】
前記胴部において前記容器軸に対して前記把持部の反対側の部分が、該容器の径方向の外方に向けて膨出していることを特徴とする請求項２に記載の計量キャップ付容器。
【発明の詳細な説明】
【技術分野】
【０００１】
本発明は、計量キャップ付容器に関するものである。
【背景技術】
【０００２】
従来、この種の計量キャップ付容器として、内容物を収容する容器と、この容器の口部に装着されて底板に内容物を注出する注出口を備えたノズル筒部が立設された注出キャップと、この注出キャップに着脱可能に装着された計量カップと、を備える構成が知られている（例えば、特許文献１参照）。このような計量キャップ付容器では、注出キャップから計量カップを取り外して容器を傾け、ノズル筒部の注出口から計量カップ内に内容物を計量しながら注入した後、計量された内容物を計量カップから全量注ぎ出している。
【特許文献１】特開２００２−１２２４２号公報
【発明の開示】
【発明が解決しようとする課題】
【０００３】
しかしながら、上記従来の計量キャップ付容器においても、以下の課題が残されている。すなわち、従来の計量キャップ付容器では、容器の内容物を計量カップに注ぐ際、内容物を収容した容器の重量によって注出キャップが装着された容器側と計量カップとの相対的な位置や姿勢が安定せず、計量カップに精度よく内容物を注ぎ込むことができなかったり、内容物が計量カップから零れ落ちたりすることがあった。特に、内容物が容器内に充填され比較的重量がある場合や、作業者の力が弱い場合には、計量カップに対する注出口の位置がふらついて操作を誤りやすかった。
また、計量カップをノズル筒部に当接させて、互いの位置を安定させることも考えられるが、この場合、計量カップに対する注出口の位置を精度よく決めることが難しかった。
【０００４】
本発明は、前述の課題に鑑みてなされたもので、容器の内容物を安定して計量カップに注ぐことができる計量キャップ付容器を提供することを目的とする。
【課題を解決するための手段】
【０００５】
本発明は、上記のような課題を解決するために以下のような手段を採用した。すなわち、本発明の計量キャップ付容器は、内容物を収容する容器と、該容器の口部に装着されて前記内容物を注出する注出口が形成された注出キャップと、該注出キャップに着脱可能に装着されて前記注出口を覆う計量カップと、を備える計量キャップ付容器であって、前記注出キャップは、前記容器内と前記注出口とを連通するノズル筒部と、該ノズル筒部よりも該ノズル筒部の径方向外方に設けられて前記容器を傾けて注出姿勢としたときに前記計量カップの外周縁に突き当たって該注出姿勢を保持する姿勢保持片と、を備えることを特徴とする。
【０００６】
この発明では、注出キャップから計量カップを取り外して容器を傾けてノズル筒部の注出口から計量カップ内に内容物を注入するときに、ノズル筒部の先端部外面及び姿勢保持片をそれぞれ、計量カップの開口端縁及び外周縁に各別に接触させるので、計量カップに対する注出口の位置を精度よく定めることができ、注出姿勢が安定する。
すなわち、ノズル筒部の先端部は、容器を傾けた注出姿勢において計量カップの開口端に突き当てられる。そして、姿勢保持片は、ノズル筒部の径方向外方に設けられていることから、注出姿勢において計量カップの外周縁に突き当てられる。そのため、容器は、注出姿勢において例えば消費者（使用者）の手で保持されている計量カップに当接しているノズル筒部の先端部及び姿勢保持片によって支持される。これにより、容器を傾けた注出姿勢が保持される。
このため、例えば内容物を収容している容器の重量によって、または内容物が容器内で移動して内容物を収容した容器の重心位置が変動することによってノズル筒部が計量カップの開口端上をスライド移動しようしても、姿勢保持片が計量カップの外周縁に突き当てられていることからノズル筒部がスライド移動することを防止できる。
このように、計量カップに対するノズル筒部の位置が安定するため、一方の手で計量カップを保持しつつ他方の手で容器を保持した状態で計量カップに内容物を注ぎ込む場合であっても、消費者は、ノズル筒部と計量カップとの接触部分に過度の注意を払う必要がなくなる。そのため、消費者は、計量カップに注ぎ込まれる内容物の注出量に注意を払うことが可能となる。したがって、容器内の内容物は、注出口から計量カップに精度よく注ぎ込まれることができ、また、内容物は、計量カップから零れ落ちにくくなる。
【０００７】
また、本発明の計量キャップ付容器は、前記容器の胴部に把持部が設けられ、前記ノズル筒部が、前記容器の接地面に直交する容器軸に対して前記把持部の反対側に傾斜して延びる傾斜軸に沿って延設されていることが好ましい。
この発明では、ノズル筒部が把持部から離間するように傾斜しているので、把持部を把持した消費者が内容物を注出するために必要な傾斜角が小さくなり、内容物を計量カップに容易に注ぎ込むことができる。
【０００８】
また、本発明の計量キャップ付容器は、前記胴部において前記容器軸に対して前記把持部の反対側の部分が、該容器の径方向の外方に向けて膨出していることが好ましい。
この発明では、例えば台上に容器を載置した状態で内容物を注出できるので、容器を持ち上げることなく容易に容器を傾けることができる。このため、消費者は、内容物を収容した容器の重量に過度の注意を払う必要がなくなる。したがって、消費者は、計量カップへの内容物の注出量に注意を払うことが可能となり、内容物の注出量の精度は、さらに向上し、内容物は、計量カップからより零れ落ちにくくなる。
【発明の効果】
【０００９】
この発明にかかる計量キャップ付容器によれば、注出姿勢が保持されて計量カップに対するノズル筒部の位置が安定するため、消費者は、計量カップに注ぎ込まれる内容物の注出量に注意を払うことが可能となり、容器内の内容物を注出口から計量カップに精度よく注ぎ込むことができる。また、消費者は、内容物が計量カップから零れ落ちることをより確実に抑制できる。
【発明を実施するための最良の形態】
【００１０】
以下、本発明による計量キャップ付容器の一実施形態を、図面に基づいて説明する。なお、以下の説明に用いる各図面では、各部材を認識可能な大きさとするために縮尺を適宜変更している。
【００１１】
本実施形態における計量キャップ付容器１は、図１に示すように、容器２と、容器２に装着された注出キャップ３及び注出キャップ３に着脱可能に螺着された計量カップ４を有する計量キャップとを備えている。
なお、本実施形態では、計量キャップ付容器１において計量カップ４側（図１における上側）を上方、その反対側（図１における下側）を下方とする。また、後述する接地面１１Ａに沿う方向を径方向とする。
【００１２】
容器２は、底部１１と、底部１１の下面である接地面１１Ａに対して垂直な容器軸Ｏ１に沿って底部１１から上方に向けて順に配置された胴部１２、肩部１３及び口部１４とを備えている。また、容器２は、胴部１２の一方側（図１における右側）に設けられた把持部１５を有する。
胴部１２の他方側（図１における左側）には、一方側よりも外方に向けて膨出する膨出部１２Ａが形成されている。この膨出部１２Ａにおける外方への膨出量は、容器軸Ｏ１に沿う中央部分が最も大きく、この中央部分から上下両側に向かうにしたがって、すなわち底部１１及び肩部１３それぞれに向かうにしたがって減少している。このため、胴部１２と底部１１との他方側における角部は、丸角部となっている。
【００１３】
把持部１５は、ほぼ容器軸Ｏ１に沿って延在する円筒状をなしており、胴部１２から一方側に離間して位置している。消費者は、把持部１５と胴部１２との間の空間に例えば指を通すことによって容器２を把持する。そして、把持部１５の一端は、底部１１に接続され、他端は、肩部１３に接続されており、把持部１５の内部空間は、底部１１、胴部１２及び肩部１３の内部空間と連通している。
また、把持部１５は、例えば対向する一対の凹部によって形成することなど、他の構成とすることも可能である。
【００１４】
肩部１３は、胴部１２の上部から容器軸Ｏ１に対して把持部１５と反対側の他方側に傾斜して延在するキャップ軸（傾斜軸）Ｏ２に沿って胴部１２から離間するにしたがって漸次縮径している。
口部１４は、肩部１３の上部からキャップ軸Ｏ２に沿う円筒状をなしている。すなわち、口部１４は、肩部１３に接続される下端から上端に向けてキャップ軸Ｏ２に沿って容器軸Ｏ１及び把持部１５から離間するように設けられている。また、口部１４の外周面には、案内溝部１４Ａ及び環状凸部１４Ｂが形成されている。
【００１５】
案内溝部１４Ａは、口部１４の外周面においてキャップ軸Ｏ２に沿って延在するように形成されており、周方向で間隔をあけて複数形成されている。そして、案内溝部１４Ａは、注出キャップ３の後述する案内リブ２１Ａを収容する。
環状凸部１４Ｂは、口部１４の外周面の下端部において全周にわたって形成されており、注出キャップ３の後述する環状溝部２１Ｂに嵌め込まれる。
【００１６】
注出キャップ３は、図１及び図２に示すように、口部１４に装着されており、キャップ軸Ｏ２に沿うほぼ円筒状をなしている。そして、注出キャップ３は、図２に示すように、外筒部２１及び内筒部２２と、ネジ筒部２３と、ノズル筒部２４とを備えている。
外筒部２１は、口部１４の径方向外方に配置されたほぼ円筒状をなしている。そして、外筒部２１は、キャップ軸Ｏ２に沿う上端がネジ筒部２３の下端に接続されている。また、外筒部２１の内周面には、口部１４の案内溝部１４Ａに収容される案内リブ２１Ａがキャップ軸Ｏ２に沿って延在するように形成されている。
【００１７】
この案内リブ２１Ａは、外筒部２１の内周面において案内溝部１４Ａに対応して周方向で間隔をあけて複数形成されている。さらに、外筒部２１の内周面の下端部には、口部１４の環状凸部１４Ｂと係合する環状溝部２１Ｂが全周にわたって形成されている。そのため、注出キャップ３は、案内リブ２１Ａが口部１４の案内溝部１４Ａに収容されるように口部１４に対して位置合わせした状態でキャップ軸Ｏ２方向に沿ってスライドさせ、環状溝部２１Ｂに環状凸部１４Ｂを嵌め込むことで口部１４に装着される。このとき、案内リブ２１Ａが案内溝部１４Ａに収容されるため、注出キャップ３は、口部１４に対してキャップ軸Ｏ２回りで回転不能となる。なお、注出キャップ３は、口部１４に着脱可能に螺着される構成であってもよい。
【００１８】
内筒部２２は、口部１４の径方向内方に配置されて底板２５を有する有底円筒状をなしている。底板２５は、キャップ軸Ｏ２に対して傾斜して交差している。また、内筒部２２は、キャップ軸Ｏ２に沿う上端がネジ筒部２３の下端に接続されている。
ネジ筒部２３は、外筒部２１および内筒部２２それぞれの上端からキャップ軸Ｏ２に沿って延在するほぼ円筒状をなしている。そして、ネジ筒部２３の上部外周面には、計量カップ４の後述する雌ネジ部３３Ａと螺合する雄ネジ部２３Ａが形成されている。また、ネジ筒部２３の下端面には、口部１４の上端部の内側に嵌合される嵌合筒部２３Ｂが垂下して形成されている。
【００１９】
ノズル筒部２４は、キャップ軸Ｏ２に沿って上方に向かうにしたがって漸次縮径する筒状をなしており、内筒部２２の底板２５に形成された開口部２５Ａの縁部からキャップ軸Ｏ２に沿って上方に向けて立設されている。そして、ノズル筒部２４の上端には、容器２の内部と計量キャップ付容器１の外部とを連通する注出口２４Ａが形成されている。なお、ノズル筒部２４の上端は、ネジ筒部２３の上端よりもキャップ軸Ｏ２に沿って上方に突出している。
また、ノズル筒部２４は、その中心軸がキャップ軸Ｏ２から径方向の他方側（キャップ軸Ｏ２を挟んだ把持部１５の反対側）に若干ずれた位置に設けられている。さらに、ノズル筒部２４の径方向の一方側には、キャップ軸Ｏ２に沿って延在するスリット２６が形成されている。さらに、ノズル筒部２４のキャップ軸Ｏ２から径方向の他方側の側面には、径方向外方に突出する姿勢保持片２７が設けられている。
【００２０】
姿勢保持片２７は、底板２５からキャップ軸Ｏ２に沿って上方に向けて延在するリブ状をなしている。ここで、姿勢保持片２７のキャップ軸Ｏ２に沿う上端は、ノズル筒部２４の上端よりも下方に後退している。また、姿勢保持片２７の上端部は、ノズル筒部２４の中心軸から離間する側の端縁が近接する側の端縁よりも上方に突出しており、ノズル筒部２４の中心軸に向かうにしたがって若干下方に後退するように傾斜している。
【００２１】
計量カップ４は、図１及び図２に示すように、キャップ軸Ｏ２に沿う有頂円筒状をなしており、本体筒部３１、フランジ部３２及び装着筒部３３を備えている。
本体筒部３１は、キャップ軸Ｏ２に沿う有頂円筒状をなし、内筒部２２の内側からノズル筒部２４の上方まで延在している。また、本体筒部３１の開口端３１Ａ側の外周面は、内筒部２２の内周面に密接する。したがって、本体筒部３１は、注出口２４Ａが形成されたノズル筒部２４の周囲を覆う。また、本体筒部３１の内周面には、本体筒部３１内に内容物を貯留したときに貯留された内容物の容積を示すメモリ（図示略）が印されている。
フランジ部３２は、本体筒部３１の外周面全周にわたって形成された円環板状をなしている。
装着筒部３３は、内径がネジ筒部２３の外形よりも大径の円筒状をなしており、内周面にネジ筒部２３の雄ネジ部２３Ａに螺合される雌ネジ部３３Ａが形成されている。
【００２２】
次に、以上のような構成の計量キャップ付容器１による内容物の注出方法について説明する。
まず、計量カップ４をキャップ軸Ｏ２回りで回転させて注出キャップ３及び計量カップ４の間の螺合状態を解除し、計量カップ４を取り外す。
そして、消費者は、図３（ａ）に示すように、把持部１５を把持した状態で例えば載置台Ｓなどに置かれている容器２を底部１１及び胴部１２を接続する容器２の他方側の角部に沿って傾けて倒し、胴部１２の膨出部１２Ａを載置台Ｓ上に載置する。このとき、胴部１２の他方側に膨出部１２Ａが形成されており、底部１１と胴部１２とを接続する角部が丸角部となっているため、容器２内に内容物が大量に収容されて容器２の重量が大きい場合であっても、容器２を持ち上げることなく角部に沿って容易かつ安定して容器２を傾けることができる。
【００２３】
また、消費者は、図３（ａ）、図３（ｂ）及び図４に示すように、取り外した計量カップ４を上下反転させた後に、例えば把持部１５を把持していない手で計量カップ４を保持し、ノズル筒部２４の上端部外面を計量カップ４の開口端３１Ａの縁部に当接させる。このとき、ノズル筒部２４の他方側に形成された姿勢保持片２７の上端は、計量カップ４の本体筒部３１の下端部（開口端３１Ａ）における外周縁に突き当てられる。これにより、注出キャップ３は、計量カップ４と少なくとも２点で接触する。したがって、注出キャップ３が装着された容器２と計量カップ４との間の相対的な位置付けが安定し、計量カップ４に対する注出口２４Ａの位置が精度よく定まる。
【００２４】
そして、消費者は、図５（ａ）、図５（ｂ）及び図６に示すように、ノズル筒部２４に計量カップ４を当接させた状態で容器２を傾けて注出姿勢とする。このとき、胴部１２に外方に向けて膨出して形成された膨出部１２Ａにより、膨出部１２Ａを載置台Ｓ上に載置した状態で膨出部１２Ａの外面に沿って容器２を傾けることで、容器２を持ち上げることなく容器２を傾けることが可能となる。これにより、容器２内に大量の内容物が収容されることによって容器２の重量が大きくなっても、容器２の傾斜角が容易にかつ精度よく変更される。
【００２５】
また、例えば内容物を収容した容器２の重量によって、または内容物が容器２内を移動して内容物を収容した容器２の重心位置が変動することによって容器２がさらに傾いてノズル筒部２４が計量カップ４の開口端３１Ａ上をスライドしようとした場合であっても、姿勢保持片２７が消費者によって保持されている計量カップ４の外周縁に突き当てられているため、容器２の注出姿勢が保持され、ノズル筒部２４が計量カップ４の開口端３１Ａ上に対してスライド移動することが抑制される。これによっても、計量カップ４に対する注出口２４Ａの位置が精度よく定まる。
【００２６】
さらに、姿勢保持片２７の上端部がノズル筒部２４の径方向外方に向かうにしたがってキャップ軸Ｏ２に沿う上方に向けて突出するように傾斜しているため、容器２を傾けていくとノズル筒部２４の上端部と姿勢保持片２７の上端縁とは、図５（ａ）、図５（ｂ）及び図６に示すように、計量カップ４の開口端３１Ａの縁部を挟み込む。このため、姿勢保持片２７と計量カップ４との接触面積が増大する。これにより、計量カップ４に対する注出キャップ３の位置付けがより安定する。
【００２７】
その上、ノズル筒部２４に形成されたスリット２６により、内容物を注出するときにスリット２６から空気を容器２内に侵入させながら内容物が計量カップ４に注入される。このため、内容物が注出されやすくなり、計量カップ４に注出される内容物の計量精度が確保される。
以上のようにして容器２を適宜傾けて計量カップ４内に内容物を注ぎ込む。
【００２８】
以上のような構成の計量キャップ付容器１によれば、消費者が保持している計量カップ４によってノズル筒部２４の上端部及び姿勢保持片２７が支持されるので、計量カップ４に対するノズル筒部２４の位置が安定し、容器２の注出姿勢が保持される。そのため、消費者は、ノズル筒部２４と計量カップ４との接触部分に過度の注意を払う必要がなくなる。これにより、消費者は、計量カップ４に注ぎ込まれる内容物の注出量のみに注意を払うことが可能となり、計量カップ４に注出される内容物の注出量の精度が向上する。したがって、容器２内の内容物を注出口２４Ａから計量カップ４に精度よく注ぎ込むことができ、内容物が計量カップ４から零れ落ちにくくなる。
【００２９】
また、ノズル筒部２４が把持部１５から離間するように傾斜しているので、消費者が内容物を注出するために容器２を傾ける角度が小さくなり、容易に内容物を計量カップ４に注ぎ込むことができる。
さらに、胴部１２に膨出部１２Ａを設けることで、容器２を持ち上げることなく容易に容器を傾けることができる。このため、消費者は、内容物を収容した容器２の重量に過度の注意を払う必要がなくなる。そのため、消費者は、計量カップ４への内容物の注出量のみに注意を払うことが可能となり、内容物の注出量の精度は、さらに向上する。
【００３０】
なお、本発明は上記実施形態に限定されるものではなく、本発明の趣旨を逸脱しない範囲において種々の変更を加えることができる。
例えば、姿勢保持片は、ノズル筒部の外周面にキャップ軸に沿って設けられているが、内容物の注出時において計量カップの外周縁に突き当たって注出姿勢が保持されれば、ノズル筒部の外周面の一部である上端部のみから径方向外方に向けて突出する形状や、底板から上方に向けて突出するピン状など、他の形状であってもよい。
また、姿勢保持片は、１つのみ設けられているが、複数設けられてもよい。
【００３１】
そして、計量カップの外周面には、容器を傾けて注出姿勢としたときに姿勢保持片の上端を受ける溝部が形成されてもよい。これにより、計量カップに対するノズル筒部の位置がさらに安定する。
同様に、計量カップの開口端には、容器を傾けて注出姿勢としたときにノズル筒部の上端と係合する切欠部が形成されてもよい。これにより、計量カップに対するノズル筒部の位置がさらに安定する。
【００３２】
さらに、ノズル筒部の上端は、他方側に向けて突出させた先鋭部としてもよい。これにより、内容物が径方向外方に飛散することを抑制できる。
また、キャップ軸は、容器軸から傾いているが、容器軸と平行であってもよい。
そして、胴部には、膨出部が形成されているが、膨出部が形成されていなくてもよい。
さらに、計量カップは、注出キャップに着脱可能に螺着されているが、着脱可能に装着されれば、雌ネジ部及び雄ネジ部の螺合による装着に限られない。
【産業上の利用可能性】
【００３３】
この発明によれば、容器の内容物を安定して計量カップに注ぐことができる計量キャップ付容器に関して、産業上の利用可能性が認められる。
【図面の簡単な説明】
【００３４】
【図１】本発明の一実施形態における計量キャップ付容器を示す側面図である。
【図２】図１の一部を示す軸方向断面である。
【図３】（ａ）は、図１に示す計量キャップ付容器を用いた内容物の注出方法を示す側面図であり、（ｂ）は、（ａ）の部分拡大図である。
【図４】同じく、内容物の注出方法を示す部分破断斜視図である。
【図５】同じく、（ａ）は、内容物の注出方法を示す側面図であり、（ｂ）は、（ａ）の部分拡大図である。
【図６】同じく、内容物の注出方法を示す部分破断斜視図である。
【符号の説明】
【００３５】
１  計量キャップ付容器、２  容器、３  注出キャップ、４  計量カップ、１１Ａ  接地面、１４  口部、１５  把持部、２４  ノズル筒部、２４Ａ  注出口、２７  姿勢保持片、Ｏ１  容器軸、Ｏ２  キャップ軸（傾斜軸）
【図１】
2010126219.tif 000003
【図２】
2010126219.tif 000004
【図３】
2010126219.tif 000005
【図４】
2010126219.tif 000006
【図５】
2010126219.tif 000007
【図６】
2010126219.tif 000008